(57)【要約】【課題】画像情報を加工した加工画像情報を適切に生成すること。【解決手段】本願に係る生成装置は、取得部と、生成部とを有する。取得部は、文字情報と、文字情報と関連する画像情報とを取得する。生成部は、取得部により取得された文字情報に基づいて画像情報を加工することにより、画像情報から加工画像情報を生成する。例えば、取得部は、文字情報と、文字情報とともに表示される画像情報とを取得する。例えば、生成部は、文字情報に基づいて、画像情報の一部を抽出することにより加工画像情報を生成する。【選択図】図２
2017045139.tif 000002
【特許請求の範囲】
【請求項１】
文字情報と、前記文字情報と関連する画像情報とを取得する取得部と、
前記取得部により取得された文字情報に基づいて前記画像情報を加工することにより、前記画像情報から加工画像情報を生成する生成部と、
を備えたことを特徴とする生成装置。
【請求項２】
前記取得部は、
前記文字情報と、前記文字情報とともに表示される画像情報とを取得する
ことを特徴とする請求項１に記載の生成装置。
【請求項３】
前記生成部は、
前記文字情報に基づいて、前記画像情報の一部を抽出することにより前記加工画像情報を生成する
ことを特徴とする請求項１または請求項２に記載の生成装置。
【請求項４】
前記生成部は、
前記画像情報から前記文字情報に関連する対象が含まれる部分を抽出することにより前記加工画像情報を生成する
ことを特徴とする請求項３に記載の生成装置。
【請求項５】
前記生成部は、
前記文字情報に基づいて、前記画像情報の色調を変更することにより前記加工画像情報を生成する
ことを特徴とする請求項１〜４のいずれか１項に記載の生成装置。
【請求項６】
前記生成部は、
前記文字情報が肯定的な内容の場合、前記画像情報の色調を明るくすることにより前記加工画像情報を生成し、前記文字情報が否定的な内容の場合、前記画像情報の色調を暗くすることにより前記加工画像情報を生成する
ことを特徴とする請求項５に記載の生成装置。
【請求項７】
前記生成部は、
前記文字情報に基づく付加情報を、前記画像情報に重畳させることにより前記加工画像情報を生成する
ことを特徴とする請求項１〜６のいずれか１項に記載の生成装置。
【請求項８】
前記生成部は、
前記付加情報として、前記文字情報の提供元に関する情報、または前記文字情報に関するロゴを前記画像情報に重畳させることにより前記加工画像情報を生成する
ことを特徴とする請求項７に記載の生成装置。
【請求項９】
前記生成部は、
前記加工画像情報とともに表示される他の文字情報または他の画像情報に基づいて、前記画像情報から前記加工画像情報を生成する
ことを特徴とする請求項１〜８のいずれか１項に記載の生成装置。
【請求項１０】
前記取得部は、
前記画像情報の入稿元から前記画像情報に対して許可する加工内容に関する情報を取得し、
前記生成部は、
前記取得部により取得された加工内容に関する情報に基づいて、前記画像情報から前記加工画像情報を生成する
ことを特徴とする請求項１〜９のいずれか１項に記載の生成装置。
【請求項１１】
前記取得部は、
前記文字情報に関する所定のネットワークサービスにおける情報を取得し、
前記生成部は、
前記取得部により取得された所定のネットワークサービスにおける情報に基づいて、前記画像情報から前記加工画像情報を生成する
ことを特徴とする請求項１〜１０のいずれか１項に記載の生成装置。
【請求項１２】
前記取得部は、
動画情報から抽出された前記画像情報を取得する
ことを特徴とする請求項１〜１１のいずれか１項に記載の生成装置。
【請求項１３】
前記取得部は、
前記画像情報として複数の画像情報を取得し、
前記生成部は、
前記文字情報に基づく加工により、前記複数の画像情報から前記加工画像情報を生成する
ことを特徴とする請求項１〜１２のいずれか１項に記載の生成装置。
【請求項１４】
コンピュータが実行する生成方法であって、
文字情報と、前記文字情報と関連する画像情報とを取得する取得工程と、
前記取得工程により取得された文字情報に基づいて前記画像情報を加工することにより、前記画像情報から加工画像情報を生成する生成工程と、
を含むことを特徴とする生成方法。
【請求項１５】
文字情報と、前記文字情報と関連する画像情報とを取得する取得手順と、
前記取得手順により取得された文字情報に基づいて前記画像情報を加工することにより、前記画像情報から加工画像情報を生成する生成手順と、
をコンピュータに実行させることを特徴とする生成プログラム。
【請求項１６】
文字情報と、前記文字情報に基づく加工により画像情報から生成された加工画像情報を受信する受信部と、
前記受信部により受信された前記文字情報と前記加工画像情報とを表示する表示部と、
を備えたことを特徴とする端末装置。
【請求項１７】
文字情報と、前記文字情報に基づく加工により画像情報から生成された加工画像情報を受信する受信手順と、
前記受信手順により受信された前記文字情報と前記加工画像情報とを表示する表示手順と、
をコンピュータに実行させることを特徴とする表示プログラム。
【発明の詳細な説明】
【技術分野】
【０００１】
本発明は、生成装置、生成方法、生成プログラム、端末装置、及び表示プログラムに関する。
【背景技術】
【０００２】
従来、ユーザの端末装置にニュース記事等の文字情報を提供する場合、その文字情報の内容に基づく画像情報が文字情報とともに提供されている。このような場合、画像情報は、表示領域の大きさ等に応じて加工される。例えば、人の顔が含まれる画像における両目間の距離に基づいて画像を加工する技術が提供されている。
【先行技術文献】
【特許文献】
【０００３】
【特許文献１】特開２００５−１０８２０７号公報
【発明の概要】
【発明が解決しようとする課題】
【０００４】
しかしながら、上記の従来技術では画像情報を加工した加工画像情報が適切に生成されるとは限らない。例えば、画像情報が複数人の顔や複数の物体を含む場合、画像情報を加工した加工画像情報が適切に生成されるとは限らない。
【０００５】
本願は、上記に鑑みてなされたものであって、画像情報を加工した加工画像情報を適切に生成する生成装置、生成方法、生成プログラム、端末装置、及び表示プログラムを提供することを目的とする。
【課題を解決するための手段】
【０００６】
本願に係る生成装置は、文字情報と、前記文字情報と関連する画像情報とを取得する取得部と、前記取得部により取得された文字情報に基づいて前記画像情報を加工することにより、前記画像情報から加工画像情報を生成する生成部と、を備えたことを特徴とする。
【発明の効果】
【０００７】
実施形態の一態様によれば、画像情報を加工した加工画像情報を適切に生成することができるという効果を奏する。
【図面の簡単な説明】
【０００８】
【図１】図１は、実施形態に係る配信処理の一例を示す図である。
【図２】図２は、実施形態に係る配信装置の構成例を示す図である。
【図３】図３は、実施形態に係るコンテンツ情報記憶部の一例を示す図である。
【図４】図４は、実施形態に係る画像情報記憶部の一例を示す図である。
【図５】図５は、実施形態に係る端末装置の構成例を示す図である。
【図６】図６は、実施形態に係る配信処理の一例を示すフローチャートである。
【図７】図７は、変形例に係る画像の加工の一例を示す図である。
【図８】図８は、変形例に係る画像の加工の一例を示す図である。
【図９】図９は、変形例に係る画像のトリミングの一例を示す図である。
【図１０】図１０は、変形例に係るコンテンツ情報記憶部の一例を示す図である。
【図１１】図１１は、変形例に係るサムネイル画像の加工の一例を示す図である。
【図１２】図１２は、配信装置の機能を実現するコンピュータの一例を示すハードウェア構成図である。
【発明を実施するための形態】
【０００９】
以下に、本願に係る生成装置、生成方法、生成プログラム、端末装置、及び表示プログラムを実施するための形態（以下、「実施形態」と呼ぶ）について図面を参照しつつ詳細に説明する。なお、この実施形態により本願に係る生成装置、生成方法、生成プログラム、端末装置、及び表示プログラムが限定されるものではない。また、以下の各実施形態において同一の部位には同一の符号を付し、重複する説明は省略される。
【００１０】
（実施形態）
〔１．配信処理〕
まず、図１を用いて、実施形態に係る配信処理の一例について説明する。図１は、実施形態に係る配信処理の一例を示す図である。図１に示す配信装置１００は、例えば所定のコンテンツを配信する配信サービスを提供する。なお、配信装置１００が配信するコンテンツには、記事の見出し等の文字情報とその文字情報に対応する画像とを含むコンテンツが含まれる。また、図１では、配信装置１００が配信するコンテンツは、端末装置１０において上下方向に並べて一覧表示される。以下では、各記事に対応するコンテンツと区別するため、各記事に対応するコンテンツが上下方向に並べて一覧表示されるコンテンツ全体を表示コンテンツとする場合がある。なお、配信装置１００が配信するコンテンツは、いわゆる広告コンテンツであってもよい。例えば、端末装置１０が、所定のブラウザによりコンテンツを閲覧する場合、表示コンテンツはウェブページであってもよい。
【００１１】
図１に示すように、配信システム１には、端末装置１０と、配信装置１００とが含まれる。端末装置１０と、配信装置１００とは図示しない所定の通信網を介して、有線または無線により通信可能に接続される。なお、図１に示した配信システム１には、複数台の端末装置１０や、複数台の配信装置１００が含まれてもよい。
【００１２】
端末装置１０は、ユーザによって利用される情報処理装置である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、端末装置１０がタッチパネル機能を有するスマートフォンである場合を示す。なお、以下では、端末装置１０をユーザと表記する場合がある。すなわち、以下では、ユーザを端末装置１０と読み替えることもできる。
【００１３】
また、端末装置１０は、ユーザによる操作を受け付ける。図１に示す例において端末装置１０は、ユーザの操作により所定のアプリケーション（以下、単に「アプリ」とする場合がある）に表示するコンテンツを配信装置１００へ要求する。以下では、端末装置１０が配信装置１００へスポーツに関連する記事（コンテンツ）の配信を要求した場合を例に示す。
【００１４】
配信装置１００は、端末装置１０にコンテンツを配信するサービスを提供する情報処理装置である。また、配信装置１００は、文字情報に基づいて画像情報（以下、単に「画像」とする場合がある）を加工することにより、画像情報から加工画像情報を生成する生成装置である。なお、ここでいう、加工画像情報は、文字情報に関連し加工された画像であり、端末装置１０において文字情報とともに表示される画像である。以下では、加工画像情報を「加工画像」とする場合がある。図１に示す例において、配信装置１００は、端末装置１０から配信要求を受け付け、端末装置１０にコンテンツを配信する。
【００１５】
図１に示すように、ユーザＵ１は端末装置１０においてコンテンツを表示するアプリを操作し、配信装置１００にコンテンツの配信要求を送信する（ステップＳ１１）。
【００１６】
端末装置１０から配信要求を受け付けた配信装置１００は、端末装置１０に配信する記事（コンテンツ）を選択する（ステップＳ１２）。図１では、配信装置１００は、端末装置１０に配信するコンテンツとして、コンテンツＣＴ１１、コンテンツＣＴ１２等を選択する。具体的には、配信装置１００は、コンテンツ情報記憶部１２１からコンテンツＣＴ１１、コンテンツＣＴ１２等を取得する。
【００１７】
ステップＳ１２において、配信装置１００が選択したコンテンツＣＴ１２には、文字情報「サッカー選手××  海外クラブへ移籍」とともに表示される画像Ｇ２１が含まれる。一方、配信装置１００が選択したコンテンツＣＴ１１には、文字情報「競走馬○○  術後順調に回復」のみが含まれ、文字情報に対応する画像は含まれない。
【００１８】
そのため、配信装置１００は、文字情報「競走馬○○  術後順調に回復」とともにコンテンツＣＴ１１として表示する画像を選択する（ステップＳ１３）。図１では、配信装置１００は、文字情報「競走馬○○  術後順調に回復」とともに表示する画像として馬が含まれる画像を選択する。具体的には、配信装置１００は、画像情報記憶部１２２から馬と山と太陽とが含まれる画像Ｇ１２を取得する。
【００１９】
図１では、表示コンテンツＣＴ１０中において、文字情報「競走馬○○  術後順調に回復」とともにコンテンツＣＴ１１として表示する画像は表示領域ＡＲ１１に表示される。また、画像Ｇ１２は表示領域ＡＲ１１よりも大きい。そこで、配信装置１００は、表示領域ＡＲ１１の大きさに合わせて画像Ｇ１２を加工する。具体的には、配信装置１００は、表示領域ＡＲ１１の大きさに合わせて画像Ｇ１２をトリミングする（ステップＳ１４）。例えば、配信装置１００は、画像Ｇ１２における馬の位置Ｄが中心となるように、表示領域ＡＲ１１の大きさに合わせて画像Ｇ１２をトリミングする。これにより、配信装置１００は、画像Ｇ１２から表示領域ＡＲ１１の大きさに合わせた加工画像Ｇ１２１を生成する。
【００２０】
また、図１では、文字情報「サッカー選手××  海外クラブへ移籍」とともに表示される画像Ｇ２１も画像の表示領域の大きさに合わせてトリミングされる。例えば、配信装置１００は、画像Ｇ２１における人（サッカー選手）が中心となるように、画像Ｇ２１から表示領域の大きさに合わせた加工画像Ｇ２１１を生成する。このように、配信装置１００は、文字情報とともに入稿された画像であっても、例えば提供元等が加工を許可する場合、画像から表示領域の大きさに合わせた加工画像を生成する。
【００２１】
その後、配信装置１００は、コンテンツＣＴ１１〜ＣＴ１４を含む表示コンテンツＣＴ１０を端末装置１０へ配信する（ステップＳ１５）。また、配信装置１００は、コンテンツＣＴ１１の表示領域ＡＲ１１に表示する画像として加工画像情報Ｇ１２１を端末装置１０へ配信する。なお、図１では、表示領域ＡＲ１１の説明のため、加工画像情報Ｇ１２１を表示コンテンツＣＴ１０とは別に図示するが、加工画像情報Ｇ１２１は、表示領域ＡＲ１１に配置されて配信されてもよい。
【００２２】
その後、表示コンテンツＣＴ１０を受信した端末装置１０は、表示コンテンツＣＴ１０を表示する（ステップＳ１６）。具体的には、端末装置１０は、コンテンツＣＴ１１〜ＣＴ１４を上下方向に並べて一覧表示する。すなわち、端末装置１０には、コンテンツＣＴ１１として、文字情報「競走馬○○  術後順調に回復」とともに加工画像情報Ｇ１２１が表示される。このように、端末装置１０において、コンテンツＣＴ１１は、他のコンテンツＣＴ１２〜ＣＴ１４と同じ表示態様で表示される。これにより、端末装置１０は、文字情報のみ入稿されたコンテンツＣＴ１１であっても、画像とともに入稿された文字情報と同じ表示態様で一覧表示することができる。
【００２３】
上述したように、配信装置１００は、文字情報とともに表示する画像を表示領域の大きさに合わせてトリミングを行う。また、配信装置１００は、トリミングを行う際に、画像において文字情報と関連する位置が含まれるように、画像においてトリミングする位置を決定する。図１では、配信装置１００は、画像Ｇ１２における馬の位置Ｄが中心となるように、表示領域ＡＲ１１の大きさに合わせて画像Ｇ１２をトリミングする。このように、配信装置１００は、画像情報を加工した加工画像情報を適切に生成することができる。
【００２４】
〔２．配信装置の構成〕
次に、図２を用いて、実施形態に係る配信装置１００の構成について説明する。図２は、実施形態に係る配信装置１００の構成例を示す図である。図２に示すように、配信装置１００は、通信部１１０と、記憶部１２０と、制御部１３０とを有する。なお、配信装置１００は、配信装置１００の管理者等から各種操作を受け付ける入力部（例えば、キーボードやマウス等）や、各種情報を表示するための表示部（例えば、液晶ディスプレイ等）を有してもよい。
【００２５】
通信部１１０は、例えば、ＮＩＣ（Network  Interface  Card）等によって実現される。そして、通信部１１０は、ネットワークと有線または無線で接続され、端末装置１０との間で情報の送受信を行う。
【００２６】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、コンテンツ情報記憶部１２１と、画像情報記憶部１２２とを有する。
【００２７】
（コンテンツ情報記憶部１２１）
実施形態に係るコンテンツ情報記憶部１２１は、コンテンツに関する各種情報を記憶する。図３に、実施形態に係るコンテンツ情報記憶部１２１の一例を示す。図３に示すコンテンツ情報記憶部１２１は、「コンテンツＩＤ」、「文字情報」、「画像情報」、「画像ＩＤ」、「提供元ＩＤ」といった項目を有する。
【００２８】
「コンテンツＩＤ」は、コンテンツを識別するための識別情報を示す。「文字情報」は、対応するコンテンツに含まれる文字情報を示す。また、「画像情報」は、対応するコンテンツに含まれる画像情報を示す。図３では、説明のため画像ＩＤにより識別される画像を図示するが、「画像情報」としては、画像情報の格納場所を示すファイルパス名などが格納されてもよい。「画像ＩＤ」は、画像情報を識別するための識別情報を示す。例えば、画像ＩＤ「Ｇ２１」により識別される画像は、図１の例に示した画像Ｇ２１に対応する。また、「提供元ＩＤ」は、コンテンツの提供元を識別するための識別情報を示す。
【００２９】
例えば、図３に示す例において、コンテンツＩＤ「ＣＴ１１」により識別されるコンテンツＣＴ１１は、文字情報「競走馬○○  術後順調に回復」を含み、画像を含まないコンテンツであることを示す。すなわち、コンテンツＣＴ１１は、文字情報に対応する画像が入稿されていないコンテンツであることを示す。
【００３０】
また、コンテンツＩＤ「ＣＴ１１」により識別されるコンテンツＣＴ１１は、提供元ＩＤ「ＣＰ１１」により識別される提供元から取得したコンテンツであることを示す。また、例えば、図３に示す例において、コンテンツＩＤ「ＣＴ１２」により識別されるコンテンツＣＴ１２は、文字情報「サッカー選手××  海外クラブへ移籍」と画像Ｇ２１を含むコンテンツであることを示す。また、コンテンツＩＤ「ＣＴ１２」により識別されるコンテンツＣＴ１２は、提供元ＩＤ「ＣＰ１２」により識別される提供元から取得したコンテンツであることを示す。
【００３１】
なお、コンテンツ情報記憶部１２１は、上記に限らず、目的に応じて種々の情報を記憶してもよい。例えば、コンテンツ情報記憶部１２１は、コンテンツのカテゴリに関する情報を記憶してもよい。また、例えば、コンテンツ情報記憶部１２１は、コンテンツを取得した日時やコンテンツが作成された日時に関する情報を記憶してもよい。また、コンテンツ情報記憶部１２１中の画像は、画像の提供元や画像に関する権利（著作権等）を有する第三者から、画像への加工、すなわち二次加工に関する許諾が得られていることが判断（確認)され、管理（記憶）されているものとする。
【００３２】
（画像情報記憶部１２２）
実施形態に係る画像情報記憶部１２２は、広告に関する各種情報を記憶する。図４に、実施形態に係る画像情報記憶部１２２の一例を示す。図４に示す画像情報記憶部１２２は、「画像ＩＤ」、「画像」、「物体」、「提供元ＩＤ」といった項目を有する。
【００３３】
「画像ＩＤ」は、画像を識別するための識別情報を示す。「画像」は、画像情報を示す。図４では、説明のため画像ＩＤにより識別される画像を図示するが、「画像」としては、画像の格納場所を示すファイルパス名などが格納されてもよい。また、「物体」は、画像に含まれる物体を示す。また、「提供元ＩＤ」は、画像の提供元を識別するための識別情報を示す。
【００３４】
例えば、図４に示す例において、画像ＩＤ「Ｇ１１」により識別される画像は、物体１「海」が位置Ａに含まれ、物体２「砂浜」が位置Ｂに含まれ、物体３「パラソル」が位置Ｃに含まれることを示す。また、画像ＩＤ「Ｇ１１」により識別される画像は、提供元ＩＤ「ＣＰ２１」により識別される提供元から取得した画像であることを示す。
【００３５】
例えば、図４に示す例において、画像ＩＤ「Ｇ１２」により識別される画像は、物体１「馬」が位置Ｄに含まれ、物体２「山」が位置Ｅに含まれ、物体３「太陽」が位置Ｆに含まれることを示す。また、画像ＩＤ「Ｇ１２」により識別される画像は、提供元ＩＤ「ＣＰ２２」により識別される提供元から取得した画像であることを示す。なお、図１や図４に示す例においては、各物体の位置を位置Ｄ等として概念的に表記したが、例えば、その物体が含まれる画素の範囲等を物体の位置としてもよい。なお、画像における物体（対象）の認識による情報の抽出は、例えば、Ｒ−ＣＮＮ(Regions  with  Convolutional  Neural  Network)等の画像認識技術を用いた画像処理を適宜用いて行われてもよい。画像における物体の認識による情報の抽出は、例えば、配信装置１００の生成部１３３が行ってもよい。また、配信装置１００は、所定の外部処理装置が画像における物体の認識により抽出した情報を取得してもよい。
【００３６】
なお、画像情報記憶部１２２は、上記に限らず、目的に応じて種々の情報を記憶してもよい。例えば、画像情報記憶部１２２は、画像を取得した日時や画像が作成された日時に関する情報を記憶してもよい。また、画像情報記憶部１２２中の画像は、画像の提供元や画像に関する権利（著作権等）を有する第三者から、画像への加工、すなわち二次加工に関する許諾が得られていることが判断（確認)され、管理（記憶）されているものとする。
【００３７】
（制御部１３０）
図２の説明に戻って、制御部１３０は、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００３８】
図２に示すように、制御部１３０は、受付部１３１と、取得部１３２と、生成部１３３と、配信部１３４とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００３９】
（受付部１３１）
受付部１３１は、端末装置１０から配信要求を受け付ける。図１に示す例において、受付部１３１は、端末装置１０においてアプリが表示するコンテンツの配信要求を受け付ける。また、受付部１３１は、外部の情報処理装置からコンテンツ情報記憶部１２１に記憶されるコンテンツを受け付けてもよい。この場合、例えば、受付部１３１は、コンテンツプロバイダ等が管理する情報処理装置からコンテンツを受け付ける。例えば、受付部１３１は、外部の情報処理装置から文字情報を含むコンテンツを受け付けてもよい。また、例えば、受付部１３１は、外部の情報処理装置から文字情報と画像情報とを含むコンテンツを受け付けてもよい。また、受付部１３１は、画像を提供する提供元から画像の登録を受け付けてもよい。また、例えば、受付部１３１は、受け付けた画像を画像情報記憶部１２２に記憶する。
【００４０】
（取得部１３２）
取得部１３２は、文字情報と、文字情報と関連する画像情報とを取得する。なお、ここでいう文字情報と関連する画像情報とは、文字情報に含まれる単語に関する対象が含まれる画像情報等をいう。例えば、文字情報に単語「こども」が含まれる場合、こどもが含まれる画像情報が、文字情報と関連する画像情報となる。なお、文字情報と関連する画像情報とは、上記に限らず、文字情報と何らかの関連を想起させるものであればどのような画像情報であってもよい。例えば、文字情報に単語「日本」が含まれる場合、日本を想起させるような風景や日本人等、種々の画像情報が、文字情報と関連する画像情報となる。また、例えば、取得部１３２は、文字情報と、文字情報とともに表示される画像情報とを取得する。例えば、取得部１３２は、コンテンツ情報記憶部１２１から文字情報を含むコンテンツを取得する。図１では、取得部１３２は、コンテンツ情報記憶部１２１から文字情報「競走馬○○  術後順調に回復」を取得する。また、例えば、取得部１３２は、コンテンツ情報記憶部１２１から文字情報と画像情報とを含むコンテンツを取得する。図１では、取得部１３２は、コンテンツ情報記憶部１２１から文字情報「サッカー選手××  海外クラブへ移籍」と画像情報Ｇ２１とを取得する。
【００４１】
また、取得部１３２は、文字情報と関連する画像情報を画像情報記憶部１２２から取得する。例えば、取得部１３２は、コンテンツが文字情報を含み、画像情報を含まない場合、文字情報と関連する画像情報を画像情報記憶部１２２から取得する。図１では、取得部１３２は、画像情報記憶部１２２から文字情報「競走馬○○  術後順調に回復」とともに表示される画像Ｇ１２を取得する。なお、取得部１３２は、外部の情報処理装置から文字情報や画像情報を取得してもよい。
【００４２】
また、取得部１３２は、画像情報の入稿元から画像情報に対して許可する加工内容に関する情報を取得してもよい。また、取得部１３２は、文字情報に関する所定のネットワークサービスにおける情報を取得してもよい。例えば、取得部１３２は、ＳＮＳ（Social  Networking  Service）における文字情報に関して投稿された情報を取得してもよい。取得部１３２は、動画情報から抽出された画像情報を取得してもよい。また、取得部１３２は、文字情報に基づいて、動画情報から抽出された画像情報を取得してもよい。取得部１３２は、文字情報と関連する画像情報として複数の画像情報を取得してもよい。
【００４３】
（生成部１３３）
生成部１３３は、取得部１３２により取得された文字情報に基づいて画像情報を加工することにより、画像情報から加工画像情報を生成する。生成部１３３は、文字情報に基づいて、画像情報の一部を抽出することにより加工画像情報を生成する。生成部１３３は、画像情報から文字情報に関連する対象が含まれる部分を抽出することにより加工画像情報を生成する。例えば、生成部１３３は、文字情報「競走馬○○  術後順調に回復」を形態素解析等の自然言語処理技術を適宜用いて解析することにより、文字情報「競走馬○○  術後順調に回復」から重要なキーワードを抽出してもよい。そして、生成部１３３は、文字情報「競走馬○○  術後順調に回復」の中から抽出されたキーワード「競走馬○○」に関連する対象である馬の位置Ｄが中心となるように、表示領域ＡＲ１１の大きさに合わせて画像Ｇ１２をトリミングする。これにより、生成部１３３は、画像Ｇ１２から表示領域ＡＲ１１の大きさに合わせた加工画像Ｇ１２１を生成する。なお、生成部１３３は、画像の加工として、トリミングに限らず、目的に応じて種々の加工を行ってもよい。
【００４４】
生成部１３３は、文字情報に基づいて、画像情報の色調を変更することにより加工画像情報を生成してもよい。例えば、生成部１３３は、文字情報が肯定的な内容の場合、画像情報の色調を明るくすることにより加工画像情報を生成し、文字情報が否定的な内容の場合、画像情報の色調を暗くすることにより加工画像情報を生成してもよい。生成部１３３は、文字情報に基づく付加情報を、画像情報に重畳させることにより加工画像情報を生成してもよい。例えば、生成部１３３は、文字情報の提供元に関する情報、または文字情報に関するロゴを、付加情報として画像情報に重畳させることにより加工画像情報を生成してもよい。
【００４５】
また、生成部１３３は、加工画像情報とともに表示される他の文字情報または他の画像情報に基づいて、画像情報から加工画像情報を生成してもよい。例えば、生成部１３３は、加工画像とともに表示される他の画像が人の顔を多く含む場合、人の顔以外を含む加工画像を生成してもよい。例えば、生成部１３３は、加工画像とともに表示される他の画像が人の顔を多く含む場合、風景部分を含む加工画像を生成してもよい。また、生成部１３３は、動画情報から抽出された画像情報から加工画像を生成してもよい。また、生成部１３３は、動画のサムネイルとともに文字情報に基づいて、動画情報から抽出された画像情報から加工画像を生成してもよい。例えば、生成部１３３は、動画のサムネイルとともに文字情報が動画のタイトル等である場合、動画情報から抽出された画像情報から動画にタイトルに関連する対象を含む加工画像を生成してもよい。
【００４６】
また、生成部１３３は、取得部１３２により取得された加工内容に関する情報に基づいて、画像情報から加工画像情報を生成してもよい。生成部１３３は、取得部１３２により取得された所定のネットワークサービスにおける情報に基づいて、画像情報から加工画像情報を生成してもよい。生成部１３３は、文字情報に基づく加工により、複数の画像情報から加工画像情報を生成してもよい。例えば、生成部１３３は、文字情報に基づく加工により、複数の画像情報を組み合わせて１つの加工画像情報を生成してもよい。例えば、生成部１３３は、文字情報に基づく加工により、各々に人の顔が含まれる複数の画像を組み合わせて、複数の人の顔を含む１つの加工画像情報を生成してもよい。なお、生成部１３３によるこれらの加工についての詳細は後述する。
【００４７】
（配信部１３４）
配信部１３４は、表示コンテンツを端末装置１０へ配信する。例えば、配信部１３４は、文字情報と生成部１３３により生成された加工画像情報とを端末装置１０へ配信する。図１では、配信部１３４は、コンテンツＣＴ１１〜ＣＴ１４を含む表示コンテンツＣＴ１０を端末装置１０へ配信する。また、配信部１３４は、コンテンツＣＴ１１として、文字情報「競走馬○○  術後順調に回復」と加工画像情報Ｇ１２１とを端末装置１０へ配信する。
【００４８】
〔３．端末装置の構成〕
次に、図５を用いて、実施形態に係る端末装置１０の構成について説明する。図５は、実施形態に係る端末装置１０の構成例を示す図である。図５に示すように、端末装置１０は、通信部１１と、記憶部１２と、入力部１３と、出力部１４と、制御部１５とを有する。
【００４９】
（通信部１１）
通信部１１は、例えば、通信回路等によって実現される。そして、通信部１１は、図示しない所定の通信網と有線または無線で接続され、配信装置１００との間で情報の送受信を行う。
【００５０】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００５１】
（入力部１３）
入力部１３は、ユーザからの各種操作を受け付ける。例えば、入力部１３は、タッチパネル機能により表示面（例えば表示部１５３）を介してユーザからの各種操作を受け付けてもよい。また、入力部１３は、端末装置１０に設けられたボタンや、端末装置１０に接続されたキーボードやマウスからの各種操作を受け付けてもよい。
【００５２】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００５３】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００５４】
図５に示すように、制御部１５は、送信部１５１と、受信部１５２と、表示部１５３とを有し、以下に説明する配信処理の機能や作用を実現または実行する。なお、制御部１５の内部構成は、図５に示した構成に限られず、後述する配信処理を行う構成であれば他の構成であってもよい。また、制御部１５が有する各処理部の接続関係は、図５に示した接続関係に限られず、他の接続関係であってもよい。
【００５５】
送信部１５１は、各種情報を外部の情報処理装置へ送信する。送信部１５１は、入力部１３により受け付けたユーザ操作に従って、配信装置１００へ配信要求を送信する。例えば、送信部１５１は、アプリからの配信要求を配信装置１００へ送信する。
【００５６】
受信部１５２は、各種情報を外部の情報処理装置から受信する。受信部１５２は、配信装置１００から配信された表示コンテンツを受信する。図１では、受信部１５２は、コンテンツＣＴ１１〜ＣＴ１４を含む表示コンテンツＣＴ１０を受信する。また、受信部１５２は、文字情報と、文字情報に基づく加工により画像情報から生成された加工画像情報を受信する。図１では、受信部１５２は、コンテンツＣＴ１１として、文字情報「競走馬○○  術後順調に回復」と加工画像情報Ｇ１２１とを受信する。
【００５７】
表示部１５３は、受信部１５２により受信された表示コンテンツを受信する。図１では、表示部１５３は、コンテンツＣＴ１１〜ＣＴ１４を含む表示コンテンツＣＴ１０を表示する。また、表示部１５３は、コンテンツＣＴ１１〜ＣＴ１４を上下の方向に並べて一覧表示する。また、表示部１５３は、受信部１５２により受信された文字情報と加工画像情報とを表示する。図１では、表示部１５３は、コンテンツＣＴ１１として、文字情報「競走馬○○  術後順調に回復」と加工画像情報Ｇ１２１とを表示する。
【００５８】
なお、上述した制御部１５による表示処理等の処理は、例えば、ＪａｖａＳｃｒｉｐｔ（登録商標）などにより実現されてもよい。また、上述した表示処理が所定のアプリケーションにより行われる場合や表示処理が専用アプリにより行われる場合、制御部１５は、例えば、所定のアプリや専用アプリを制御するアプリ制御部を有してもよい。
【００５９】
〔４．配信処理のフロー〕
次に、図６を用いて、実施形態に係る配信システム１による配信処理の手順について説明する。図６は、実施形態に係る配信処理の一例を示すフローチャートである。
【００６０】
図６に示すように、配信装置１００の受付部１３１は、端末装置１０から配信要求を受け付ける（ステップＳ１０１）。例えば、受付部１３１は、端末装置１０中のアプリから配信要求を受け付ける。その後、配信装置１００の取得部１３２は、端末装置１０へ配信するコンテンツを選択する（ステップＳ１０２）。例えば、取得部１３２は、コンテンツ情報記憶部１２１から端末装置１０へ配信するコンテンツを取得する。
【００６１】
その後、配信装置１００の生成部１３３は、コンテンツに画像が含まれる場合（ステップＳ１０３：Ｙｅｓ）、コンテンツに含まれる画像を表示領域に合わせて加工する（ステップＳ１０４）。図１では、生成部１３３は、コンテンツＣＴ１２に含まれる画像Ｇ２１を表示領域の大きさに合わせてトリミングする。なお、生成部１３３は、コンテンツに含まれる画像の大きさが表示領域の大きさと一致する場合、ステップＳ１０４においてトリミングをしなくてもよい。
【００６２】
また、取得部１３２は、コンテンツに画像が含まれない場合（ステップＳ１０３：Ｎｏ）、コンテンツの文字情報に基づいて画像を取得する（ステップＳ１０５）。図１では、取得部１３２は、文字情報「競走馬○○  術後順調に回復」とともに表示する画像として馬が含まれる画像を取得する。具体的には、取得部１３２は、画像情報記憶部１２２から馬と山と太陽とが含まれる画像Ｇ１２を取得する。その後、生成部１３３は、取得した画像を表示領域に合わせて加工する（ステップＳ１０６）。図１では、生成部１３３は、画像Ｇ１１を表示領域の大きさに合わせてトリミングする。なお、生成部１３３は、コンテンツに含まれる画像の大きさが表示領域の大きさと一致する場合、ステップＳ１０６においてトリミングをしなくてもよい。
【００６３】
その後、配信装置１００の配信部１３４は、コンテンツを端末装置１０へ配信する（ステップＳ１０７）。例えば、配信部１３４は、コンテンツとして、文字情報と画像情報とを端末装置１０へ配信する。また、例えば、配信部１３４は、コンテンツとして、文字情報と加工画像情報とを端末装置１０へ配信する。
【００６４】
なお、図１のように、配信装置１００は、配信するコンテンツ（表示コンテンツ）に複数のコンテンツが含まれる場合、ステップＳ１０２〜Ｓ１０６の処理をコンテンツの数だけ繰り返した後、端末装置１０へコンテンツを配信する。例えば、配信装置１００は、コンテンツＣＴ１１〜ＣＴ１４の各々に対してステップＳ１０２〜Ｓ１０６の処理を行った後、コンテンツＣＴ１１〜ＣＴ１４を含む表示コンテンツＣＴ１０を端末装置１０へ配信する。
【００６５】
〔５．変形例〕
上述した実施形態に係る配信システム１は、上記実施形態以外にも種々の異なる形態にて実施されてよい。そこで、以下では、配信システム１の他の実施形態について説明する。
【００６６】
〔５−１．画像の加工について〕
上述した実施形態においては、画像の加工として画像をトリミングする場合を示したが、画像の加工は、トリミングに加えて、目的に応じて種々の加工が行われてもよい。この点について、図７及び図８を用いて説明する。
【００６７】
まず、図７を用いて、トリミング以外の画像の加工を説明する。図７は、変形例に係る画像の加工の一例を示す図である。具体的には、図７は、画像の色調を変更することにより加工画像を生成する場合を示す。
【００６８】
例えば、生成部１３３は、加工画像とともに表示される他の文字情報と他の画像とに基づいて、画像から加工画像を生成する。図７に示す例において、生成部１３３は、コンテンツＣＴ１１とともに表示される他のコンテンツＣＴ１２〜ＣＴ１４に含まれる文字情報や画像情報とに基づいて、画像Ｇ１２から加工画像Ｇ１２２を生成する。具体的には、生成部１３３は、画像Ｇ１２をトリミングした加工画像Ｇ１２１の色調を変化させることにより加工画像Ｇ１２２を生成する。例えば、他のコンテンツＣＴ１２〜ＣＴ１４の画像の色調が暗いため、画像Ｇ１２の明度を下げた加工画像Ｇ１２２を生成する。これにより、生成部１３３は、端末装置１０において一覧表示される他のコンテンツの画像と調和した加工画像を生成することができる。また、生成部１３３は、画像情報に限らず、例えばコンテンツＣＴ１２〜ＣＴ１４の文字情報に肯定的な内容が多く含まれる場合、画像Ｇ１２の明度を上げた加工画像を生成してもよい。また、生成部１３３は、他のコンテンツＣＴ１２〜ＣＴ１４の文字情報及び画像情報の両方を総合的に判断して、画像情報の色調を変更することにより加工画像情報を生成してもよい。
【００６９】
また、生成部１３３は、文字情報に基づいて、画像情報の色調を変更することにより加工画像情報を生成してもよい。例えば、生成部１３３は、コンテンツＣＴ１１の文字情報「競走馬○○  術後順調に回復」が肯定的な内容と判断した場合、画像Ｇ１２の色調を明るくすることにより加工画像情報を生成してもよい。また、例えば、生成部１３３は、文字情報が否定的な内容と判断した場合、画像Ｇ１２の色調を暗くすることにより加工画像情報を生成してもよい。これにより、生成部１３３は、他のコンテンツと色調が調和した加工画像を生成することができる。
【００７０】
次に、図８を用いて、画像の加工として他の情報を画像に重畳表示する場合を説明する。図８は、変形例に係る画像の加工の一例を示す図である。具体的には、図８は、コンテンツの提供元を示す情報を画像に重畳表示させる場合を示す。
【００７１】
例えば、生成部１３３は、文字情報に基づく付加情報を、画像情報に重畳させることにより加工画像情報を生成する。図８に示す例において、生成部１３３は、文字情報「競走馬○○  術後順調に回復」を含むコンテンツＣＴ１１の提供元を示す付加情報ＬＧ１１である「△△新聞」を画像に重畳表示させる。具体的には、生成部１３３は、画像Ｇ１２をトリミングした加工画像Ｇ１２１に付加情報ＬＧ１１を重畳表示させる。これにより、生成部１３３は、文字情報を含むコンテンツの出所を示す情報を含む加工画像を生成することができる。
【００７２】
なお、付加情報は、文字情報を含むコンテンツに関するものであればどのような情報であってもよい。例えば、付加情報は、所定の企業やイベントに関するロゴ等であってもよい。また、付加情報の表示態様は、画像への重畳表示に限らず、目的に応じて種々の表示態様が適宜選択されてもよい。例えば、付加情報は、画像の周囲に配置されて表示されてもよい。
【００７３】
〔５−２．トリミングする位置について〕
画像をトリミングする位置は、目的等に応じて適宜変更されてもよい。この点について、図９を用いて説明する。図９は、変形例に係る画像のトリミングの一例を示す図である。
【００７４】
生成部１３３は、ＳＮＳ等の所定のネットワークサービスにおける情報に基づいて、画像から加工画像を生成する。具体的には、生成部１３３は、コンテンツに対してＳＮＳで投稿された情報等に基づいて、画像をトリミングする範囲を変更してもよい。図１では、生成部１３３は、コンテンツＣＴ１２に含まれる画像Ｇ２１における人（サッカー選手）が中心となるように、画像Ｇ２１から表示領域の大きさに合わせた加工画像Ｇ２１１を生成する。
【００７５】
ここで、図９に示す例においては、ＳＮＳにおいてサッカー選手××の移籍後の背番号についての投稿が急増している場合を示す。また、取得部１３２によりコンテンツＣＴ１２に関するＳＮＳでの投稿に関する情報が取得されているものとして、以下説明する。
【００７６】
このような場合、生成部１３３は、画像Ｇ２１における人（サッカー選手）とユニフォームの背番号の両方が含まれる範囲をトリミングすることにより、加工画像Ｇ２１２を生成する（ステップＳ２１）。これにより、生成部１３３は、コンテンツＣＴ１２についてユーザの関心度が高い対象を含む加工画像Ｇ２１２を生成することができる。また、端末装置１０は、コンテンツＣＴ１２の画像として加工画像Ｇ２１２を表示することにより、ユーザに適切な画像を提供することができる。なお、生成部１３３は、ユニフォームの背番号が含まれる範囲をトリミングすることにより、加工画像Ｇ２１３を生成してもよい（ステップＳ２２）。
【００７７】
〔５−３．提供元による加工内容指定〕
なお、配信装置１００は、コンテンツの提供元からコンテンツに含まれる画像に対して許可する加工の内容の指定を受け付けてもよい。この点について図１０を用いて説明する。図１０は、変形例に係るコンテンツ情報記憶部の一例を示す図である。なお、図１０に示す例においては、配信装置１００のコンテンツ情報記憶部１２１に記憶される情報に加工内容に関する情報が追加されるのみであるため、コンテンツ情報記憶部をコンテンツ情報記憶部２２１とし、他の部分には、同一符号を付して説明を省略する。
【００７８】
（コンテンツ情報記憶部２２１）
変形例に係るコンテンツ情報記憶部２２１は、コンテンツに関する各種情報を記憶する。図１０に、実施形態に係るコンテンツ情報記憶部２２１の一例を示す。図１０に示すコンテンツ情報記憶部２２１は、「コンテンツＩＤ」、「文字情報」、「画像情報」、「画像ＩＤ」、「加工内容」、「提供元ＩＤ」といった項目を有する。
【００７９】
「加工内容」は、画像の入稿元が画像に対して許可する加工内容に関する情報を示す。図１０に示す例において、画像Ｇ２１の提供元である提供元ＩＤ「ＣＰ１２」により識別される提供元は、画像Ｇ２１に対する加工として、トリミングまたは付加情報として提供元ロゴの重畳表示を許可することを示す。言い換えると、提供元ＩＤ「ＣＰ１２」により識別される提供元は、画像Ｇ２１に対する加工として、画像Ｇ２１の色調を変更する加工は許可しないことを示す。このような情報は、例えば、取得部１３２がコンテンツの提供元が利用する端末装置から取得する。このように、生成部１３３は、提供元から取得した画像に対して許可する加工の内容に基づいて加工画像を生成することにより、提供元にとって適切な加工画像を生成することができる。
【００８０】
〔５−４．サムネイル画像の加工〕
配信装置１００は、動画情報から抽出されたサムネイル画像を加工してもよい。この点について、図１１を用いて説明する。図１１は、変形例に係るサムネイル画像の加工の一例を示す図である。
【００８１】
図１１に示すように、動画情報ＭＶ１１は、複数のシーンを含むサッカーの試合の動画である。以下では、動画情報ＭＶ１１に含まれる複数のシーンＳＮ１１〜ＳＮ１３等から、シーンＳＮ１３に基づいてサムネイル画像を生成する場合を説明する。
【００８２】
例えば、生成部１３３は、領域の指定がされていない場合、シーンＳＮ１３からサムネイル画像ＴＮ１１を生成する（ステップＳ３１）。具体的には、生成部１３３は、領域の指定がされていない場合、シーンＳＮ１３の情報をそのまま含むサムネイル画像ＴＮ１１を生成する。一方、生成部１３３は、範囲の指定がされている場合、指定された領域に基づくサムネイルを生成する。例えば、生成部１３３は、シーンＳＮ１３において領域ＡＲ２１の指定がされている場合、シーンＳＮ１３から領域ＡＲ２１をトリミングすることにより、加工画像Ｇ３１を生成する（ステップＳ３２）。その後、生成部１３３は、加工画像Ｇ３１からサムネイル画像ＴＮ１２を生成する（ステップＳ３３）。具体的には、シーンＳＮ１３からゴールを決めた人以外の人の顔を含む領域ＡＲ２１の指定に基づいて、加工画像Ｇ３１からサムネイル画像ＴＮ１２が生成される。このように、生成部１３３は、領域の指定に基づいて、適切なサムネイル画像を生成することができる。
【００８３】
〔６．効果〕
上述してきたように、実施形態及び変形例に係る配信装置１００は、取得部１３２と、生成部１３３とを有する。取得部１３２は、文字情報と、文字情報と関連する画像情報とを取得する。生成部１３３は、取得部１３２により取得された文字情報に基づいて画像情報を加工することにより、画像情報から加工画像情報を生成する。
【００８４】
これにより、実施形態及び変形例に係る配信装置１００は、文字情報に基づいて画像情報を加工することにより、文字情報に対応した加工画像情報を適切に生成することができる。
【００８５】
また、実施形態及び変形例に係る配信装置１００において、取得部１３２は、文字情報と、文字情報とともに表示される画像情報とを取得する。
【００８６】
これにより、実施形態及び変形例に係る配信装置１００は、文字情報に基づいて画像情報を加工することにより、文字情報に対応した加工画像情報を適切に生成することができる。したがって、配信装置１００は、文字情報とともに表示される加工画像情報を適切に生成することができる。
【００８７】
また、実施形態及び変形例に係る配信装置１００において、生成部１３３は、文字情報に基づいて、画像情報の一部を抽出することにより加工画像情報を生成する。
【００８８】
これにより、実施形態及び変形例に係る配信装置１００は、例えば、文字情報とともに表示する画像を表示領域の大きさに合わせてトリミングを行う。したがって、配信装置１００は、画像情報を加工した加工画像情報を適切に生成することができる。
【００８９】
また、実施形態及び変形例に係る配信装置１００において、生成部１３３は、画像情報から文字情報に関連する対象が含まれる部分を抽出することにより加工画像情報を生成する。
【００９０】
これにより、実施形態及び変形例に係る配信装置１００は、トリミングを行う際に、画像において文字情報と関連する位置が含まれるように、画像においてトリミングする位置を決定する。例えば、配信装置１００は、画像Ｇ１２における馬の位置Ｄが中心となるように、表示領域ＡＲ１１の大きさに合わせて画像Ｇ１２をトリミングする。したがって、配信装置１００は、画像情報を加工した加工画像情報を適切に生成することができる。
【００９１】
また、実施形態及び変形例に係る配信装置１００において、生成部１３３は、文字情報に基づいて、画像情報の色調を変更することにより加工画像情報を生成する。
【００９２】
これにより、実施形態及び変形例に係る配信装置１００は、文字情報に基づいて画像情報の色調を変更することにより加工画像を生成することができる。したがって、配信装置１００は、画像情報を加工した加工画像情報を適切に生成することができる。
【００９３】
また、実施形態及び変形例に係る配信装置１００において、生成部１３３は、文字情報が肯定的な内容の場合、画像情報の色調を明るくすることにより加工画像情報を生成し、文字情報が否定的な内容の場合、画像情報の色調を暗くすることにより加工画像情報を生成する。
【００９４】
これにより、実施形態及び変形例に係る配信装置１００は、文字情報における内容が肯定的か否定的かに基づいて色調を変更させた加工画像を生成することができる。したがって、配信装置１００は、画像情報を加工した加工画像情報を適切に生成することができる。
【００９５】
また、実施形態及び変形例に係る配信装置１００において、生成部１３３は、文字情報に基づく付加情報を、画像情報に重畳させることにより加工画像情報を生成する。
【００９６】
これにより、実施形態及び変形例に係る配信装置１００は、文字情報に基づく付加情報を重畳させた加工画像を生成することができる。したがって、配信装置１００は、画像情報を加工した加工画像情報を適切に生成することができる。
【００９７】
また、実施形態及び変形例に係る配信装置１００において、生成部１３３は、付加情報として、文字情報の提供元に関する情報、または文字情報に関するロゴを画像情報に重畳させることにより加工画像情報を生成する。
【００９８】
これにより、実施形態及び変形例に係る配信装置１００は、文字情報を含むコンテンツの出所や内容の信頼性を示す情報を含む加工画像を生成することができる。したがって、配信装置１００は、画像情報を加工した加工画像情報を適切に生成することができる。
【００９９】
また、実施形態及び変形例に係る配信装置１００において、生成部１３３は、加工画像情報とともに表示される他の文字情報または他の画像情報に基づいて、画像情報から加工画像情報を生成する。
【０１００】
これにより、実施形態及び変形例に係る配信装置１００は、他のコンテンツと色調が調和した加工画像を生成することができる。したがって、配信装置１００は、画像情報を加工した加工画像情報を適切に生成することができる。
【０１０１】
また、実施形態及び変形例に係る配信装置１００において、取得部１３２は、画像情報の入稿元から画像情報に対して許可する加工内容に関する情報を取得する。また、生成部１３３は、取得部１３２により取得された加工内容に関する情報に基づいて、画像情報から加工画像情報を生成する。
【０１０２】
これにより、実施形態及び変形例に係る配信装置１００は、提供元から取得した画像に対して許可する加工の内容に基づいて加工画像を生成することにより、提供元にとって適切な加工画像を生成することができる。したがって、配信装置１００は、画像情報を加工した加工画像情報を適切に生成することができる。
【０１０３】
また、実施形態及び変形例に係る配信装置１００において、取得部１３２は、文字情報に関する所定のネットワークサービスにおける情報を取得する。また、生成部１３３は、取得部１３２により取得された所定のネットワークサービスにおける情報に基づいて、画像情報から加工画像情報を生成する。
【０１０４】
これにより、実施形態及び変形例に係る配信装置１００は、文字情報や画像情報について多くのユーザの関心度が高い対象を含む加工画像を生成することができる。したがって、配信装置１００は、画像情報を加工した加工画像情報を適切に生成することができる。
【０１０５】
また、実施形態及び変形例に係る配信装置１００において、取得部１３２は、動画情報から抽出された画像情報を取得する。
【０１０６】
これにより、実施形態及び変形例に係る配信装置１００は、動画情報のサムネイルとして、適切なサムネイル画像を生成することができる。つまり、配信装置１００は、動画情報のサムネイル画像も適切に生成できる。したがって、配信装置１００は、画像情報を加工した加工画像情報を適切に生成することができる。
【０１０７】
また、実施形態及び変形例に係る配信装置１００において、取得部１３２は、画像情報として複数の画像情報を取得する。また、生成部１３３は、文字情報に基づく加工により、複数の画像情報から加工画像情報を生成する。
【０１０８】
これにより、実施形態及び変形例に係る配信装置１００は、複数の画像を組み合わせた加工画像情報を生成できる。したがって、配信装置１００は、画像情報を加工した加工画像情報を適切に生成することができる。
【０１０９】
また、実施形態及び変形例に係る端末装置１０は、受信部１５２と、表示部１５３とを有する。受信部１５２は、文字情報と、文字情報に基づく加工により画像情報から生成された加工画像情報を受信する。表示部１５３は、受信部１５２により受信された文字情報と加工画像情報とを表示する。
【０１１０】
これにより、実施形態及び変形例に係る端末装置１０は、文字情報に基づいて画像情報から生成された加工画像情報を文字情報とともに表示することにより、適切なコンテンツを表示することができる。
【０１１１】
〔７．ハードウェア構成〕
上述してきた実施形態及び変形例に係る配信装置１００は、例えば図１２に示すような構成のコンピュータ１０００によって実現される。図１２は、配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１１３】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１１４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１１５】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１１６】
例えば、コンピュータ１０００が実施形態及び変形例に係る配信装置１００として機能する場合、コンピュータ１０００のＣＰＵ１１００は、ＲＡＭ１２００上にロードされたプログラムを実行することにより、制御部１３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１１７】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１１８】
〔８．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１２０】
また、上述してきた実施形態及び変形例は、処理内容を矛盾させない範囲で適宜組み合わせることが可能である。
【０１２１】
また、上述してきた「部（section、module、unit）」は、「手段」や「回路」などに読み替えることができる。例えば、受付部は、受付手段や受付回路に読み替えることができる。
【符号の説明】
【０１２２】
１  配信システム
１００  配信装置（生成装置）
１２１  コンテンツ情報記憶部
１２２  画像情報記憶部
１３０  制御部
１３１  受付部
１３２  取得部
１３３  生成部
１３４  配信部
１０  端末装置
１５１  送信部
１５２  受信部
１５３  表示部
Ｎ  ネットワーク
【図１】
2017045139.tif 000003
【図２】
2017045139.tif 000004
【図３】
2017045139.tif 000005
【図４】
2017045139.tif 000006
【図５】
2017045139.tif 000007
【図６】
2017045139.tif 000008
【図７】
2017045139.tif 000009
【図８】
2017045139.tif 000010
【図９】
2017045139.tif 000011
【図１０】
2017045139.tif 000012
【図１１】
2017045139.tif 000013
【図１２】
2017045139.tif 000014
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
記事コンテンツに含まれる文字情報と、前記記事コンテンツに含まれる画像情報であって、前記文字情報と関連する画像情報とを取得する取得部と、
前記取得部により取得された文字情報に基づいて前記画像情報を加工することにより、前記画像情報から、前記文字情報とともに表示される加工画像情報を生成する生成部と、
を備えたことを特徴とする生成装置。
【請求項２】
前記取得部は、
前記文字情報と、前記文字情報とともに表示される画像情報とを取得する
ことを特徴とする請求項１に記載の生成装置。
【請求項３】
前記生成部は、
前記文字情報に基づいて、前記画像情報の一部を抽出することにより前記加工画像情報を生成する
ことを特徴とする請求項１または請求項２に記載の生成装置。
【請求項４】
前記生成部は、
前記画像情報から前記文字情報に関連する対象が含まれる部分を抽出することにより前記加工画像情報を生成する
ことを特徴とする請求項３に記載の生成装置。
【請求項５】
前記生成部は、
前記文字情報に基づいて、前記画像情報の色調を変更することにより前記加工画像情報を生成する
ことを特徴とする請求項１〜４のいずれか１項に記載の生成装置。
【請求項６】
前記生成部は、
前記文字情報が肯定的な内容の場合、前記画像情報の色調を明るくすることにより前記加工画像情報を生成し、前記文字情報が否定的な内容の場合、前記画像情報の色調を暗くすることにより前記加工画像情報を生成する
ことを特徴とする請求項５に記載の生成装置。
【請求項７】
前記生成部は、
前記文字情報に基づく付加情報を、前記画像情報に重畳させることにより前記加工画像情報を生成する
ことを特徴とする請求項１〜６のいずれか１項に記載の生成装置。
【請求項８】
前記生成部は、
前記付加情報として、前記文字情報の提供元に関する情報、または前記文字情報に関するロゴを前記画像情報に重畳させることにより前記加工画像情報を生成する
ことを特徴とする請求項７に記載の生成装置。
【請求項９】
前記生成部は、
前記加工画像情報とともに表示される他の文字情報または他の画像情報に基づいて、前記画像情報から前記加工画像情報を生成する
ことを特徴とする請求項１〜８のいずれか１項に記載の生成装置。
【請求項１０】
前記取得部は、
前記画像情報の入稿元から前記画像情報に対して許可する加工内容に関する情報を取得し、
前記生成部は、
前記取得部により取得された加工内容に関する情報に基づいて、前記画像情報から前記加工画像情報を生成する
ことを特徴とする請求項１〜９のいずれか１項に記載の生成装置。
【請求項１１】
前記取得部は、
前記文字情報に関する所定のネットワークサービスにおける情報を取得し、
前記生成部は、
前記取得部により取得された所定のネットワークサービスにおける情報に基づいて、前記画像情報から前記加工画像情報を生成する
ことを特徴とする請求項１〜１０のいずれか１項に記載の生成装置。
【請求項１２】
前記取得部は、
動画情報から抽出された前記画像情報を取得する
ことを特徴とする請求項１〜１１のいずれか１項に記載の生成装置。
【請求項１３】
前記取得部は、
前記画像情報として複数の画像情報を取得し、
前記生成部は、
前記文字情報に基づく加工により、前記複数の画像情報から前記加工画像情報を生成する
ことを特徴とする請求項１〜１２のいずれか１項に記載の生成装置。
【請求項１４】
コンピュータが実行する生成方法であって、
記事コンテンツに含まれる文字情報と、前記記事コンテンツに含まれる画像情報であって、前記文字情報と関連する画像情報とを取得する取得工程と、
前記取得工程により取得された文字情報に基づいて前記画像情報を加工することにより、前記画像情報から、前記文字情報とともに表示される加工画像情報を生成する生成工程と、
を含むことを特徴とする生成方法。
【請求項１５】
記事コンテンツに含まれる文字情報と、前記記事コンテンツに含まれる画像情報であって、前記文字情報と関連する画像情報とを取得する取得手順と、
前記取得手順により取得された文字情報に基づいて前記画像情報を加工することにより、前記画像情報から、前記文字情報とともに表示される加工画像情報を生成する生成手順と、
をコンピュータに実行させることを特徴とする生成プログラム。
【請求項１６】
記事コンテンツに含まれる文字情報と、前記記事コンテンツに含まれる画像情報であって、前記文字情報に基づく加工により画像情報から生成された加工画像情報を受信する受信部と、
前記受信部により受信された前記文字情報と前記加工画像情報とを表示する表示部と、
を備えたことを特徴とする端末装置。
【請求項１７】
記事コンテンツに含まれる文字情報と、前記記事コンテンツに含まれる画像情報であって、前記文字情報に基づく加工により画像情報から生成された加工画像情報を受信する受信手順と、
前記受信手順により受信された前記文字情報と前記加工画像情報とを表示する表示手順と、
をコンピュータに実行させることを特徴とする表示プログラム。
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
記事コンテンツに含まれる文字情報と、前記記事コンテンツに含まれる画像情報であって、前記文字情報と関連する画像情報とを取得する取得部と、
前記画像情報に複数の対象が含まれる場合、前記取得部により取得された文字情報及び所定のネットワークから収集された前記画像情報に含まれる対象に関する情報に基づいて、加工時点において注目されていると推定される対象を含むように前記画像情報を加工することにより、前記画像情報から、前記文字情報とともに表示される加工画像情報を生成する生成部と、
を備えたことを特徴とする生成装置。
【請求項２】
前記取得部は、
前記文字情報と、前記文字情報とともに表示される画像情報とを取得する
ことを特徴とする請求項１に記載の生成装置。
【請求項３】
前記生成部は、
前記文字情報に基づいて、前記画像情報の一部を抽出することにより前記加工画像情報を生成する
ことを特徴とする請求項１または請求項２に記載の生成装置。
【請求項４】
前記生成部は、
前記画像情報から前記文字情報に関連する対象が含まれる部分を抽出することにより前記加工画像情報を生成する
ことを特徴とする請求項３に記載の生成装置。
【請求項５】
前記生成部は、
前記文字情報に基づいて、前記画像情報の色調を変更することにより前記加工画像情報を生成する
ことを特徴とする請求項１〜４のいずれか１項に記載の生成装置。
【請求項６】
前記生成部は、
前記文字情報が肯定的な内容の場合、前記画像情報の色調を明るくすることにより前記加工画像情報を生成し、前記文字情報が否定的な内容の場合、前記画像情報の色調を暗くすることにより前記加工画像情報を生成する
ことを特徴とする請求項５に記載の生成装置。
【請求項７】
前記生成部は、
前記文字情報に基づく付加情報を、前記画像情報に重畳させることにより前記加工画像情報を生成する
ことを特徴とする請求項１〜６のいずれか１項に記載の生成装置。
【請求項８】
前記生成部は、
前記付加情報として、前記文字情報の提供元に関する情報、または前記文字情報に関するロゴを前記画像情報に重畳させることにより前記加工画像情報を生成する
ことを特徴とする請求項７に記載の生成装置。
【請求項９】
前記生成部は、
前記加工画像情報とともに表示される他の文字情報または他の画像情報に基づいて、前記画像情報から前記加工画像情報を生成する
ことを特徴とする請求項１〜８のいずれか１項に記載の生成装置。
【請求項１０】
前記取得部は、
前記画像情報の入稿元から前記画像情報に対して許可する加工内容に関する情報を取得し、
前記生成部は、
前記取得部により取得された加工内容に関する情報に基づいて、前記画像情報から前記加工画像情報を生成する
ことを特徴とする請求項１〜９のいずれか１項に記載の生成装置。
【請求項１１】
前記取得部は、
前記文字情報に関する所定のネットワークサービスにおける情報を取得し、
前記生成部は、
前記取得部により取得された所定のネットワークサービスにおける情報に基づいて、前記画像情報から前記加工画像情報を生成する
ことを特徴とする請求項１〜１０のいずれか１項に記載の生成装置。
【請求項１２】
前記取得部は、
動画情報から抽出された前記画像情報を取得する
ことを特徴とする請求項１〜１１のいずれか１項に記載の生成装置。
【請求項１３】
前記取得部は、
前記画像情報として複数の画像情報を取得し、
前記生成部は、
前記文字情報に基づく加工により、前記複数の画像情報から前記加工画像情報を生成する
ことを特徴とする請求項１〜１２のいずれか１項に記載の生成装置。
【請求項１４】
コンピュータが実行する生成方法であって、
記事コンテンツに含まれる文字情報と、前記記事コンテンツに含まれる画像情報であって、前記文字情報と関連する画像情報とを取得する取得工程と、
前記画像情報に複数の対象が含まれる場合、前記取得工程により取得された文字情報及び所定のネットワークから収集された前記画像情報に含まれる対象に関する情報に基づいて、加工時点において注目されていると推定される対象を含むように前記画像情報を加工することにより、前記画像情報から、前記文字情報とともに表示される加工画像情報を生成する生成工程と、
を含むことを特徴とする生成方法。
【請求項１５】
記事コンテンツに含まれる文字情報と、前記記事コンテンツに含まれる画像情報であって、前記文字情報と関連する画像情報とを取得する取得手順と、
前記画像情報に複数の対象が含まれる場合、前記取得手順により取得された文字情報及び所定のネットワークから収集された前記画像情報に含まれる対象に関する情報に基づいて、加工時点において注目されていると推定される対象を含むように前記画像情報を加工することにより、前記画像情報から、前記文字情報とともに表示される加工画像情報を生成する生成手順と、
をコンピュータに実行させることを特徴とする生成プログラム。
【請求項１６】
記事コンテンツに含まれる文字情報と、前記記事コンテンツに含まれる画像情報であって、前記文字情報に基づく加工により画像情報から、前記画像情報に複数の対象が含まれる場合、前記文字情報及び所定のネットワークから収集された前記画像情報に含まれる対象に関する情報に基づいて、加工時点において注目されていると推定される対象を含むように生成された加工画像情報を受信する受信部と、
前記受信部により受信された前記文字情報と前記加工画像情報とを表示する表示部と、
を備えたことを特徴とする端末装置。
【請求項１７】
記事コンテンツに含まれる文字情報と、前記記事コンテンツに含まれる画像情報であって、前記文字情報に基づく加工により画像情報から、前記画像情報に複数の対象が含まれる場合、前記文字情報及び所定のネットワークから収集された前記画像情報に含まれる対象に関する情報に基づいて、加工時点において注目されていると推定される対象を含むように生成された加工画像情報を受信する受信手順と、
前記受信手順により受信された前記文字情報と前記加工画像情報とを表示する表示手順と、
をコンピュータに実行させることを特徴とする表示プログラム。